(57)【要約】【課題】 折畳んで収納可能であり、アームおよびすねを同時に揺動可能である揺動式健康器を提供する。【解決手段】揺動式健康器は、前支持枠と後支持枠とを含むベース枠と、ベース枠の前端に設けられる前回転軸と、前回転軸に回動自在に嵌められるブッシュと、ブッシュの周面からベース枠の前端に伸びた前支持枠とを含む前揺動構造と、ベース枠の後端に設けられる後回転軸と、後回転軸に回動自在に嵌められるブッシュと、ブッシュの周面からベース枠の後端に伸びた後支持枠と、を含む後揺動構造と、前支持枠に手すり枠が設けてある手すり構造と、後支持枠の両側にそれぞれ設けられる受け台を有する受け台構造からなる。【選択図】図１
0003132107.tif 000002
【実用新案登録請求の範囲】
【請求項１】
前支持枠と後支持枠とを含むベース枠と、前記ベース枠の前端に設けられる前回転軸と、前記前回転軸に回動自在に嵌められるブッシュと、前記ブッシュの周面から前記ベース枠の前端に伸びた前支持枠と、を含む前揺動構造と、前記ベース枠の後端に設けられる後回転軸と、前記後回転軸に回動自在に嵌められるブッシュと、前記ブッシュの周面から前記ベース枠の後端に伸びた後支持枠とを含む後揺動構造と、前記前支持枠に手すり枠が設けてある手すり構造と、
前記後支持枠の両側にそれぞれ設けられる受け台を有する受け台構造とを含むことを特徴とする、揺動式健康器。
【請求項２】
前記前揺動構造は、上端面にねじ穴が凹設してあり、その下端に近接する箇所では凸縁が環設してあり、前記凸縁の下面が前記ベース枠の上面と当接するように、その下端が前記ベース枠の上面の中段の前に固定される前回転軸と、その中心に軸穴が軸方向に沿って開設してあり、前記軸穴に前記前回転軸が挿入してあり、その軸穴の上下端には直径が軸穴よりも大きい環状溝部がそれぞれ凹設してあり、前記環状溝部内に軸受がそれぞれ設けてあり、前記各軸受が前記前回転軸に嵌め設けられ、その周面には前記ベース枠の前端に伸びながら上がる前支持枠が設けてあるブッシュと、前記ブッシュの環状溝内の軸受に設けられ、前記前回転軸に嵌め設けられ、その上面の周縁に近接する箇所では複数のピンが環設してある連接具と、その直径が前記ブッシュと同様であり、前記ブッシュに設けられ、その下面が前記ブッシュと前記連接具との上面に当接し、前記軸穴に対応する第一貫通孔が開設してあり、その下面には前記第一貫通孔の周縁に溝が凹設してあり、前記連接具のピンが前記溝に嵌め込められるライニングと、前記ライニングを押付け可能にするために、その直径が前記ライニングと同様であり、且つ前記第一貫通孔に応じて第二貫通孔が開設してあるパッキンと、その下面が前記パッキンの上面を押付け、且つ前記第二貫通孔に応じて貫通孔が開設してある円盤形状台座と、ねじ軸ヘッドとねじ軸部とを含み、前記ねじ軸部が前記貫通孔と前記第二貫通孔と前記第一貫通孔とを順次に挿通して前記前回転軸のねじ穴に締付けると、前記ライニングが前記ねじ軸ヘッドに下へ押付けられる螺合具と、を含むことを特徴とする、請求項１に記載の揺動式健康器。
【請求項３】
前記後揺動構造は、上端面にねじ穴が凹設してあり、その下端に近接する箇所では凸縁が環設してあり、前記凸縁の下面が前記ベース枠の上面と当接するように、その下端が前記ベース枠の上面の中段の前に固定される後回転軸と、その中心に軸穴が軸方向に沿って開設してあり、前記軸穴に前記後回転軸が挿入してあり、その軸穴の上下端には直径が軸穴よりも大きい環状溝部がそれぞれ凹設してあり、前記環状溝部内に軸受がそれぞれ設けてあり、前記各軸受が前記後回転軸に嵌め設けられ、その周面には前記ベース枠の前端に伸びる後支持枠が設けてあり、前記後支持枠には複数の位置決め用ねじ穴が等距離を置いて開設してあるブッシュと、前記ブッシュの環状溝内の軸受に設けられ、前記後回転軸に嵌め設けられ、その上面の周縁に近接する箇所では複数のピンが環設してある連接具と、その直径が前記ブッシュと同様であり、前記ブッシュに設けられ、その下面が前記ブッシュと前記連接具との上面に当接し、前記軸穴に対応する第一貫通孔が開設してあり、その下面には前記第一貫通孔の周縁に溝が凹設してあり、前記連接具のピンが前記溝に嵌め込められるライニングと、前記ライニングを押付け可能にするために、その直径が前記ライニングと同様であり、且つ前記第一貫通孔に応じて第二貫通孔が開設してあるパッキンと、その下面が前記パッキンの上面を押付け、且つ前記第二貫通孔に応じて貫通孔が開設してある円盤形状台座と、ねじ軸ヘッドとねじ軸部とを含み、前記ねじ軸部が前記貫通孔と前記第二貫通孔と前記第一貫通孔とを順次に挿通して前記後回転軸のねじ穴に締付けると、前記ライニングが前記ねじ軸ヘッドに下へ押付けられる螺合具と、を含むことを特徴とする、請求項１に記載の揺動式健康器。
【考案の詳細な説明】
【技術分野】
【０００１】
本考案は、揺動式健康器に係り、特に、折畳んで収納可能であり、アームおよびすねを同時に揺動可能である揺動式健康器に関するものである。
【背景技術】
【０００２】
従来のアームおよびすねを同時に揺動するための揺動式健康器は、頂部に台座が設けてある支持枠装置と、前記台座に立設された軸柱が設けてある回転軸装置と、前記軸柱に揺動可能に枢着された揺動枠が設けてあり、前記揺動枠には二つの受け台が対称に設けてある揺動装置と、前記軸柱に揺動可能に枢着された手すり装置とを含む。
【考案の開示】
【考案が解決しようとする課題】
【０００３】
しかしながら、これは次のような欠点があった。
（イ）揺動装置と手すり装置とが同一の軸柱に枢着され、ユーザーの全身の重量が揺動装置および手すり装置に加えるときに、全ての重量が軸柱により支持するので、軸柱は変形し易く、軸柱が変形したと、揺動装置および手すり装置は正常に回動できなくなる。
【０００４】
（ロ）揺動式健康器の体積は大きいので、収納スペースがかなり掛る。
【課題を解決するための手段】
【０００５】
上記目的を達成するためになされた本願の考案は、前支持枠と後支持枠とを含むベース枠と、前記ベース枠の前端に設けられる前回転軸と、前記前回転軸に回動自在に嵌められるブッシュと、前記ブッシュの周面から前記ベース枠の前端に伸びた前支持枠と、を含む前揺動構造と、前記ベース枠の後端に設けられる後回転軸と、前記後回転軸に回動自在に嵌められるブッシュと、前記ブッシュの周面から前記ベース枠の後端に伸びた後支持枠と、を含む後揺動構造と、前記前支持枠に手すり枠が設けてある手すり構造と、前記後支持枠の両側にそれぞれ設けられる受け台を有する受け台構造と、を含むことを特徴とする揺動式健康器であることを要旨としている。
【０００６】
本願の考案では、前記前揺動構造は、上端面にねじ穴が凹設してあり、その下端に近接する箇所では凸縁が環設してあり、前記凸縁の下面が前記ベース枠の上面と当接するように、その下端が前記ベース枠の上面の中段の前に固定される前回転軸と、その中心に軸穴が軸方向に沿って開設してあり、前記軸穴に前記前回転軸が挿入してあり、その軸穴の上下端には直径が軸穴よりも大きい環状溝部がそれぞれ凹設してあり、前記環状溝部内に軸受がそれぞれ設けてあり、前記各軸受が前記前回転軸に嵌め設けられ、その周面には前記ベース枠の前端に伸びながら上がる前支持枠が設けてあるブッシュと、前記ブッシュの環状溝内の軸受に設けられ、前記前回転軸に嵌め設けられ、その上面の周縁に近接する箇所では複数のピンが環設してある連接具と、その直径が前記ブッシュと同様であり、前記ブッシュに設けられ、その下面が前記ブッシュと前記連接具との上面に当接し、前記軸穴に対応する第一貫通孔が開設してあり、その下面には前記第一貫通孔の周縁に溝が凹設してあり、前記連接具のピンが前記溝に嵌め込められるライニングと、前記ライニングを押付け可能にするために、その直径が前記ライニングと同様であり、且つ前記第一貫通孔に応じて第二貫通孔が開設してあるパッキンと、その下面が前記パッキンの上面を押付け、且つ前記第二貫通孔に応じて貫通孔が開設してある円盤形状台座と、ねじ軸ヘッドとねじ軸部とを含み、前記ねじ軸部が前記貫通孔と前記第二貫通孔と前記第一貫通孔とを順次に挿通して前記前回転軸のねじ穴に締付けると、前記ライニングが前記ねじ軸ヘッドに下へ押付けられる螺合具と、を含むことを特徴とする請求項１に記載の揺動式健康器であることを要旨としている。
【０００７】
本願の考案では、前記後揺動構造は、上端面にねじ穴が凹設してあり、その下端に近接する箇所では凸縁が環設してあり、前記凸縁の下面が前記ベース枠の上面と当接するように、その下端が前記ベース枠の上面の中段の前に固定される後回転軸と、その中心に軸穴が軸方向に沿って開設してあり、前記軸穴に前記後回転軸が挿入してあり、その軸穴の上下端には直径が軸穴よりも大きい環状溝部がそれぞれ凹設してあり、前記環状溝部内に軸受がそれぞれ設けてあり、前記各軸受が前記後回転軸に嵌め設けられ、その周面には前記ベース枠の前端に伸びる後支持枠が設けてあり、前記後支持枠には複数の位置決め用ねじ穴が等距離を置いて開設してあるブッシュと、前記ブッシュの環状溝内の軸受に設けられ、前記後回転軸に嵌め設けられ、その上面の周縁に近接する箇所では複数のピンが環設してある連接具と、その直径が前記ブッシュと同様であり、前記ブッシュに設けられ、その下面が前記ブッシュと前記連接具との上面に当接し、前記軸穴に対応する第一貫通孔が開設してあり、その下面には前記第一貫通孔の周縁に溝が凹設してあり、前記連接具のピンが前記溝に嵌め込められるライニングと、前記ライニングを押付け可能にするために、その直径が前記ライニングと同様であり、且つ前記第一貫通孔に応じて第二貫通孔が開設してあるパッキンと、その下面が前記パッキンの上面を押付け、且つ前記第二貫通孔に応じて貫通孔が開設してある円盤形状台座と、ねじ軸ヘッドとねじ軸部とを含み、前記ねじ軸部が前記貫通孔と前記第二貫通孔と前記第一貫通孔とを順次に挿通して前記後回転軸のねじ穴に締付けると、前記ライニングが前記ねじ軸ヘッドに下へ押付けられる螺合具と、を含むことを特徴とする請求項１に記載の揺動式健康器であることを要旨としている。
【考案の効果】
【０００８】
本考案の揺動式健康器によれば、折畳んで収納可能であり、アームおよびすねを同時に揺動可能である効果がある。
【考案を実施するための最良の形態】
【０００９】
以下、添付図面を参照して本考案の好適な実施の形態を詳細に説明する。
【００１０】
まず、図１から図６を参照する。本考案の揺動式健康器は、ベース枠１０と、前揺動構造２０と、後揺動構造３２と、手すり構造４０と、受け台構造５０と、を含む。
【００１１】
前記ベース枠１０は、前端の下面に枢着部１１が設けてあり、前記枢着部１１には床面に立て可能な前支持枠１２が枢着してあり、固定具１３に介して前記前支持枠１２が前記枢着部１１に固定される構成であり、また、固定具１３を取り外したと、前記前支持枠１２を前記ベース枠１０の後端に折畳んで、揺動式健康器を収納することができ、また、前記ベース枠１０の両側の後端に近接する箇所では、床面に立て可能な後支持枠１４がそれぞれ後側へ円弧形状に伸びてある。
【００１２】
前記前揺動構造２０は、前回転軸２１と、ブッシュ２２と、連接具２３と、ライニング２４と、パッキン２５と、円盤形状台座２６と、螺合具２７と、を含む。
【００１３】
前記前回転軸２１は、上端面にねじ穴２１１が凹設してあり、その下端に近接する箇所では凸縁２１２が環設してあり、前記凸縁２１２の下面が前記ベース枠１０の上面と当接するように、その下端が前記ベース枠１０の上面の中段の前に固定される。
【００１４】
前記ブッシュ２２は、その中心に軸穴２２１が軸方向に沿って開設してあり、前記軸穴２２１に前記前回転軸２１が挿入してあり、その軸穴２２１の上下端には直径が軸穴２２１よりも大きい環状溝部２２２がそれぞれ凹設してあり、前記環状溝部２２２内に軸受２２３がそれぞれ設けてあり、前記各軸受２２３が前記前回転軸２１に嵌め設けられ、その周面には前記ベース枠１０の前端に伸びながら上がる前支持枠２２４が設けてある。
【００１５】
前記連接具２３は、前記ブッシュ２２の環状溝２２２２内の軸受２２３に設けられ、前記前回転軸２１に嵌め設けられ、その上面の周縁に近接する箇所では複数のピン２３１が環設してある。
【００１６】
前記ライニング２４は、その直径が前記ブッシュ２２と同様であり、前記ブッシュ２２に設けられ、その下面が前記ブッシュ２２と前記連接具２３との上面に当接し、前記軸穴２２１に対応する第一貫通孔２４１が開設してあり、その下面には前記第一貫通孔２４１の周縁に溝２４２が凹設してあり、前記連接具２３のピン２３１が前記溝２４２に嵌め込められる。
【００１７】
前記パッキン２５は、前記ライニング２４を押付け可能にするために、その直径が前記ライニング２４と同様であり、且つ前記第一貫通孔２４１に応じて第二貫通孔２５１が開設してある。
【００１８】
前記円盤形状台座２６は、その下面が前記パッキン２５の上面を押付け、且つ前記第二貫通孔２５１に応じて貫通孔２６１が開設してある。
【００１９】
前記螺合具２７は、ねじ軸ヘッド２７１とねじ軸部２７２とを含み、前記ねじ軸部２７２が前記貫通孔２６１と前記第二貫通孔２５１と前記第一貫通孔２４１とを順次に挿通して前記前回転軸２１のねじ穴２１１に締付けられると、前記ライニング２４が前記ねじ軸ヘッド２７１に下へ押付けられるようになる。
【００２０】
前記後揺動構造３２は、後回転軸３１と、ブッシュ３２と、連接具３３と、ライニング３４と、パッキン３５と、円盤形状台座３６と、螺合具３７と、を含む。
【００２１】
前記後回転軸３１は、上端面にねじ穴３１１が凹設してあり、その下端に近接する箇所では凸縁３１２が環設してあり、前記凸縁３１２の下面が前記ベース枠１０の上面と当接するように、その下端が前記ベース枠１０の上面の中段の前に固定される。
【００２２】
前記ブッシュ３２は、その中心に軸穴３２１が軸方向に沿って開設してあり、前記軸穴３２１に前記後回転軸３１が挿入してあり、その軸穴３２１の上下端には直径が軸穴３２１よりも大きい環状溝部３２２がそれぞれ凹設してあり、前記環状溝部３２２内に軸受３２１がそれぞれ設けてあり、前記各軸受３２１が前記後回転軸３１に嵌め設けられ、その周面には前記ベース枠１０の前端に伸びる後支持枠３２４が設けてあり、前記後支持枠３２４には複数の位置決め用ねじ穴３２４１が等距離を置いて開設してある。
【００２３】
前記連接具３３は、前記ブッシュ３２の環状溝３２２内の軸受３２３に設けられ、前記後回転軸３２３に嵌め設けられ、その上面の周縁に近接する箇所では複数のピン３３１が環設してある。
【００２４】
前記ライニング３４は、その直径が前記ブッシュ３２と同様であり、前記ブッシュ３２に設けられ、その下面が前記ブッシュ３２と前記連接具３３との上面に当接し、前記軸穴３２１に対応する第一貫通孔３４１が開設してあり、その下面には前記第一貫通孔３４１の周縁に溝３４２が凹設してあり、前記連接具３３のピン３３１が前記溝３４２に嵌め込められる。
【００２５】
前記パッキン３５は、前記ライニング３４を押付け可能にするために、その直径が前記ライニング３４と同様であり、且つ前記第一貫通孔３４１に応じて第二貫通孔３５１が開設してある。
【００２６】
前記円盤形状台座３６は、その下面が前記パッキン３５の上面を押付け、且つ前記第二貫通孔３５１に応じて貫通孔３６１が開設してある。
【００２７】
前記螺合具３７は、ねじ軸ヘッド３７１とねじ軸部３７２とを含み、前記ねじ軸部３７２が前記貫通孔３６１と前記第二貫通孔３５１と前記第一貫通孔３４１とを順次に挿通して前記後回転軸３１のねじ穴３１１に締付けると、前記ライニング３４が前記ねじ軸ヘッド３７１に下へ押付けられる。
【００２８】
前記手すり構造４０は、Ｃ型軸連接具４１を含み、前記Ｃ型軸連接具４１は、下面が前記前支持枠２２４の前端に近接する箇所に固定され、手すり枠４２に挿通され、その開口にボルト４３が締付けてあり、前記ボルト４３によりＣ型軸連接具４１の開口を締付けたと、手すり枠４２が固定されて折畳むことができなくなり、なお、前記ボルト４３を緩めたと、手すり枠４２をベース枠１０の後端に折畳んで収納することができる。
【００２９】
前記受け台構造５０は、前記後支持枠３２４に摺動自在に嵌められるフレーム５１を含み、前記フレーム５１の上面に位置決め用ねじ５２が設けてあり、前記位置決め用ねじ５２を前記位置決め用ねじ穴３２４１のうちの一つに螺入することにより、前記フレーム５１の位置を調整することができ、また、前記フレーム５１の両側には支持ロッド５３がそれぞれ外側に伸びてあり、前記各支持ロッド５３の上面に受け台５４が設けてある。
【００３０】
図５に示すように、ユーザーは、二つのすねを受け台５４にそれぞれレストして、両手を手すり枠４２の両側にそれぞれレストした後、このとき、前揺動機構２０と後揺動機構３０とは旋回可能な状態にあるので、本考案の揺動式健康器によりすねとアームとを揺動し運動することができる。
【００３１】
図４に示すように、螺合具２７，３７を下へ締付けると、ライニング２４，３４に対する押付けがもっと強力になり、これにより、ライニング２４，３４とブッシュ２２，３２との摩擦力が増加するようになり、すねとアームとを揺動可能にするための力を増加することが必要になり、だから、運動効果が向上する。
【００３２】
図４に示すように、フレーム５１に設けた複数の位置決め用ねじ穴３２４１のうちの一つに位置決め用ねじ５２を螺入すると、フレーム５１の位置を調整することができ、これにより、異なるユーザーの身長に合って使用することができるようになる。
【００３３】
また、ボルト４３を緩めたと、手すり枠４２をベース枠１０の後端に折畳むことができ、且つ固定具１３を取り外したと、前支持枠１２をベース枠１０の後端に折畳むこともでき、だから、本考案の揺動式健康器によれば、使用しないときに、揺動式健康器を折畳んで収納することができるので、収納スペースを低減することができる。
【図面の簡単な説明】
【００３４】
【図１】本考案の組合状態の斜視図である。
【図２】本考案の分解斜視図である。
【図３】本考案の後揺動機構の分解斜視図である。
【図４】本考案の前揺動機構と後揺動機構との断面概略図である。
【図５】本考案の前後部分の揺動作動を示す概略図である。
【図６】本考案の受け台の位置調整を示す概略図である。
【図７】本考案の折畳んだ状態を示す概略図である。
【符号の説明】
【００３５】
１０      ベース枠
１１      枢着部
１２      前支持枠
１３      固定具
１４      後支持枠
２０      前揺動機構
２１      前回転軸
２２      ブッシュ
２３      連接具
２４      ライニング
２５      パッキン
２６      円盤形状台座
２７      螺合具
３１      後回転軸
３２      後揺動機構
３３      連接具
３４      ライニング
３５      パッキン
３６      円盤形状台座
３７      螺合具
４０      手すり構造
４１      Ｃ型軸連接具
４２      手すり枠
４３      ボルト
５０      受け台構造
５１      フレーム
５２      位置決め用ねじ
５３      支持ロッド
２１２    凸縁
２２１    軸穴
２２２    環状溝部
２２３    軸受
２２４    前支持枠
２３１    ピン
２４１    第一貫通孔
２４２    溝
２５１    第二貫通孔
２６１    貫通孔
２７１    ねじ軸ヘッド
２７２    ねじ軸部
３２１    軸穴
３２２    環状溝部
３２３    軸受
３２４    後支持枠
３３１    ピン
３４１    第一貫通孔
３４２    溝
３５１    第二貫通孔
３６１    貫通孔
３７１    ねじ軸ヘッド
３７２    ねじ軸部
２２２２  環状溝部
３２４１  位置決め用ねじ穴
【図１】
0003132107.tif 000003
【図２】
0003132107.tif 000004
【図３】
0003132107.tif 000005
【図４】
0003132107.tif 000006
【図５】
0003132107.tif 000007
【図６】
0003132107.tif 000008
【図７】
0003132107.tif 000009